(57)【要約】      （修正有）【課題】ユーザに対してアピールが強く、嬉しさ、楽しさ、面白さなど娯楽性が得られる携帯端末を提供する。【解決手段】開閉検知部６が上部筐体の下部筐体に対する開閉を検知し、処理部８は、上部筐体が閉じられた回数に基づいて、該回数が“５０”の場合に特殊の表示パターンＢで点灯させ、“１００”の場合に特殊の表示パターンＣで点灯させ、“１５０”の場合に特殊の表示パターンＤで点灯させ、“５０”、“１００”及び“１５０”以外の場合に定常の表示パターンＡで点灯させる。これにより、着信ランプが点灯状態によって何を報知しているかを容易に認識できる。【選択図】図２
2010109423.tif 000002
【特許請求の範囲】
【請求項１】
第１の筐体と、
前記第１の筐体に対して開閉可能な第２の筐体と、
前記第１の筐体に対する前記第２の筐体の開閉を検出する開閉検出部と、
前記第２の筐体に設けられ前記第２の筐体を閉じた状態で各種情報を表示可能な表示部と、を備え、
前記表示部は、前記開閉検出部が前記第２の筐体を閉じたことを検出した場合に、前記第２の筐体を閉じたことを検出した回数に基づいて点灯、発光又は表示を行うことを特徴とする携帯端末。
【請求項２】
前記表示部は、前記第２の筐体を閉じたことを検出した回数に基づいて、定常の表示パターン又は特殊の表示パターンによる点灯、発光又は表示を行うことを特徴とする請求項１に記載の携帯端末。
【請求項３】
前記表示部は、前記第２の筐体を閉じたことを検出した回数に基づいて、前記回数が所定の回数の場合に特殊の表示パターンによる点灯、発光又は表示を行い、所定の回数以外の場合に定常の表示パターンによる点灯、発光又は表示を行うことを特徴とする請求項２に記載の携帯端末。
【請求項４】
前記表示部は、特殊の表示パターンによる点灯、発光又は表示を行うまでの前記第２の筐体を閉じたことを検出する回数をランダムに決定し点灯、発光又は表示を行うことを特徴とする請求項２に記載の携帯端末。
【請求項５】
前記表示部は、複数の特殊の表示パターンのうち、ランダムに決定した特殊の表示パターンによる点灯、発光又は表示を行うことを特徴とする請求項３又は請求項４に記載の携帯端末。
【発明の詳細な説明】
【技術分野】
【０００１】
本発明は、所謂折り畳み式やスライド式と呼ばれる筐体が２つの部分からなる携帯端末に関する。
【背景技術】
【０００２】
特許文献１には、通信状態に応じて複数の発光部を副表示部に向かう方向又は遠ざかる方向に順次点灯するようにして、着信ランプが点灯状態によって何を報知しているかを容易に認識できるようにした携帯端末が開示されている。この先行文献には、開いた状態の携帯端末を閉じたときに発光部を点灯・点滅等を行う点や、副表示部に表示するアニメーションと連動して発光部を点灯させる点が記載されている。
【０００３】
【特許文献１】特開２００８−５４１３７号公報
【発明の開示】
【発明が解決しようとする課題】
【０００４】
しかしながら、上述した従来の携帯端末は、着信ランプが点灯状態によって何を報知しているかを容易に認識できることを目的としたものであり、ユーザに対してアピールが弱く、嬉しさ、楽しさ、面白さなど娯楽性に乏しいという問題がある。
【０００５】
本発明は、係る事情に鑑みてなされたものであり、ユーザに対してアピールが強く、嬉しさ、楽しさ、面白さなど娯楽性が得られる携帯端末を提供することを目的とする。
【課題を解決するための手段】
【０００６】
本発明の携帯端末は、第１の筐体と、前記第１の筐体に対して開閉可能な第２の筐体と、前記第１の筐体に対する前記第２の筐体の開閉を検出する開閉検出部と、前記第２の筐体に設けられ前記第２の筐体を閉じた状態で各種情報を表示可能な表示部と、を備え、前記表示部は、前記開閉検出部が前記第２の筐体を閉じたことを検出した場合に、前記第２の筐体を閉じたことを検出した回数に基づいて点灯、発光又は表示を行う。
【０００７】
上記構成によれば、第２の筐体を閉じたことを検出した場合に、第２の筐体を閉じたことを検出した回数に基づいて点灯、発光又は表示を行うので、当該表示を見てもらえるようになり、嬉しさ、楽しさ、面白みを表現でき、従来には無い娯楽性が得られる。
【０００８】
また、上記構成において、前記表示部は、前記第２の筐体を閉じたことを検出した回数に基づいて、定常の表示パターン又は特殊の表示パターンによる点灯、発光又は表示を行う。
【０００９】
上記構成によれば、第２の筐体を閉じたことを検出した場合に、第２の筐体を閉じたことを検出した回数に基づいて定常の表示パターン又は特殊の表示パターンによる点灯、発光又は表示を行うので、嬉しさ、楽しさ、面白みを表現でき、従来には無い娯楽性が得られる。
【００１０】
また、上記構成において、前記表示部は、前記第２の筐体を閉じたことを検出した回数に基づいて、前記回数が所定の回数の場合に特殊の表示パターンによる点灯、発光又は表示を行い、所定の回数以外の場合に定常の表示パターンによる点灯、発光又は表示を行う。
【００１１】
上記構成によれば、第２の筐体を閉じたことを検出した場合に、第２の筐体を閉じたことを検出した回数が所定の回数の場合に特殊の表示パターンによる点灯、発光又は表示を行い、所定の回数以外の場合に定常の表示パターンによる点灯、発光又は表示を行うので、嬉しさ、楽しさ、面白みを表現でき、従来には無い娯楽性が得られる。
【００１２】
また、上記構成において、前記表示部は、特殊の表示パターンによる点灯、発光又は表示を行うまでの前記第２の筐体を閉じたことを検出する回数をランダムに決定し点灯、発光又は表示を行う。
【００１３】
上記構成によれば、特殊の表示パターンによる点灯、発光又は表示を行うまでの第２の筐体を閉じたことを検出する回数をランダムに決定し点灯、発光又は表示するので、嬉しさ、楽しさ、面白みを表現でき、従来には無い娯楽性が得られる。また、回数をランダムに決定し点灯、発光又は表示するので、意外性のある面白さも得られる。
【００１４】
また、上記構成において、前記表示部は、複数の特殊の表示パターンのうち、ランダムに決定した特殊の表示パターンによる点灯、発光又は表示を行う。
【００１５】
上記構成によれば、複数の特殊の表示パターンのうち、ランダムに決定した特殊の表示パターンによる点灯、発光又は表示を行うので、嬉しさ、楽しさ、面白みを表現でき、従来には無い娯楽性が得られる。また、ランダムに決定した特殊の表示パターンによる点灯、発光又は表示を行うので、意外性のある面白さも得られる。
【発明の効果】
【００１６】
本発明は、ユーザに対してアピールが強く、嬉しさ、楽しさ、面白さなど娯楽性が得られる携帯端末を提供できる。
【発明を実施するための最良の形態】
【００１７】
以下、本発明を実施するための好適な実施の形態について、図面を参照して詳細に説明する。
【００１８】
（実施の形態１）
図１は、本発明の実施の形態１に係る携帯端末の上部筐体の外側部分を示す平面図である。本実施の形態の携帯端末１は、２つの筐体（上部筐体と下部筐体）がヒンジ部２で回動自在に接続された構造を持つ折り畳み式と呼ばれるものであり、図１は上部筐体（第２の筐体）１Ａの外側部分を示している。この上部筐体１Ａが下部筐体（図示略）に対して開閉可能となっている。
【００１９】
図１において、本実施の形態の携帯端末１の上部筐体１Ａの外側部分には、その中央部よりやや上方に表示部としてサブディスプレイ３が設けられており、さらにサブディスプレイ３の直上に表示部として３色ＬＥＤ（発光ダイオード）４と３つの単色（例えば白）ＬＥＤ５がそれぞれ設けられている。サブディスプレイ３には液晶ディスプレイ又は有機ＥＬディスプレイが用いられる。
【００２０】
図２は、本実施の形態の携帯端末１の概略構成を示すブロック図である。同図において、本実施の形態の携帯端末１は、上述したサブディスプレイ３、３色ＬＥＤ４及び３つの単色ＬＥＤ５の他に、上部筐体１Ａの開閉を検知する開閉検知部６と、３色ＬＥＤ４、単色ＬＥＤ５及びサブディスプレイ３を点灯等（点灯、発光、又は表示）させる表示パターンを記憶したメモリ７と、装置各部を制御する処理部８と、基地局との間の無線通信などを利用した通話やデータ通信などの通信処理を行う通信部９と、通信部９で用いられるアンテナ１０とを備えている。メモリ７には、例えば図３〜図６に示す表示パターンが記憶されている。なお、図３〜図６において、横軸は時間であり、黒で塗り潰している箇所がその時間に点灯している部分である。また、ここで、表示パターンとは、図３〜図６から明らかなように、３色ＬＥＤ４、単色ＬＥＤ５、サブディスプレイ３等を点灯等（点灯、発光、又は表示）させるパターンをいう。
【００２１】
処理部８は、図示せぬＣＰＵ（Central Processing Unit）と、このＣＰＵを動作させるための制御プログラムを記憶したプログラムメモリと、前記ＣＰＵの動作において使用されるワークメモリとを有している。処理部８は、開閉検知部６によって上部筐体１Ａが閉じられたことが検知された場合に、上部筐体１Ａが閉じられたことを検知された回数に基づいて点灯等（点灯、発光、又は表示）の制御を行う。本実施の形態では図３〜図６に示す表示パターンＡ〜Ｄに基づいて３色ＬＥＤ４、単色ＬＥＤ５及びサブディスプレイ３を点灯させ、発光させ、又は表示させる。ここで、点灯させ、発光させ、又は表示させる頻度が最も多い表示パターンを定常の表示パターンと呼ぶことにする。そして、定常の表示パターン以外の表示パターンを特殊の表示パターンと呼ぶことにする。例えば図７に示すように上部筐体１Ａが閉じられた回数が１回目から４９回目までは定常の表示パターンＡで点灯等させ、５０回目は特殊の表示パターンＢで点灯等させる。また、５１回目から９９回目までは定常の表示パターンＡで点灯等させ、１００回目は特殊の表示パターンＣで点灯等させる。さらに、１０１回目から１４９回目までは定常の表示パターンＡで点灯等させ、１５０回目は特殊の表示パターンＤで点灯等させる。それ以降は上記同様の処理を繰り返す。
【００２２】
図８は、本実施の形態の携帯端末１の点灯等の処理を示すフローチャートである。図８において、上部筐体１Ａの開閉検知を行い（ステップＳ１０）、開閉検知できた場合、開閉回数ｎをカウントする（ｎ＝ｎ＋１、ステップＳ１１）。そして、開閉回数ｎが５０回に達したかどうか判定し（ステップＳ１２）、ステップＳ１２の判定で開閉回数ｎが５０回であれば、特殊の表示パターンＢで３色ＬＥＤ４、単色ＬＥＤ５及びサブディスプレイ３を点灯等させる（ステップＳ１３）。
【００２３】
次いで、ステップＳ１２の判定で開閉回数ｎが５０回でなければ、開閉回数ｎが１００回に達したかどうか判定し（ステップＳ１４）、開閉回数ｎが１００回であれば、特殊の表示パターンＣで３色ＬＥＤ４、単色ＬＥＤ５及びサブディスプレイ３を点灯等させる（ステップＳ１５）。
【００２４】
次いで、ステップＳ１４の判定で開閉回数ｎが１００回でなければ、開閉回数ｎが１５０回に達したかどうか判定し（ステップＳ１６）、開閉回数ｎが１５０回であれば、特殊の表示パターンＤで３色ＬＥＤ４、単色ＬＥＤ５及びサブディスプレイ３を点灯等させる（ステップＳ１７）。特殊の表示パターンＤで点灯等を行った後、開閉回数ｎをクリアし（ステップＳ１８）、ステップＳ１０に戻る。
【００２５】
次いで、ステップＳ１６の判定で開閉回数ｎが１５０回でなければ、定常の表示パターンＡで３色ＬＥＤ４、単色ＬＥＤ５及びサブディスプレイ３を点灯等させる（ステップＳ１９）。すなわち、開閉回数ｎが、特殊の表示パターンＢ、Ｃ、Ｄで３色ＬＥＤ４、単色ＬＥＤ５及びサブディスプレイ３を点灯等させる開閉回数である５０回、１００回、１５０回のいずれでもなければ、定常の表示パターンＡで３色ＬＥＤ４、単色ＬＥＤ５及びサブディスプレイ３を点灯等させる（ステップＳ１９）。そして、この処理後再びステップＳ１０に戻り、開閉検知を行う。
【００２６】
なお、開閉回数ｎが１５０よりも大きくなるエラーを防止するために、工場出荷時に開閉回数ｎをクリアしておく（ｎ＝０にしておく）ようにしてもよい。また、開閉回数ｎが何らかのエラーにより１５０よりも大きくなった場合の不具合を防止するために、図８のステップＳ１６において、開閉回数ｎが１５０の場合にステップＳ１７及びステップＳ１８の処理を実行することに代えて、開閉回数ｎが１５０以上の場合にステップＳ１７及びステップＳ１８の処理を実行するようにしてもよい。
【００２７】
以上のように本実施の形態の携帯端末１によれば、開閉検知部６が上部筐体１Ａの下部筐体に対する開閉を検知し、処理部８は、上部筐体１Ａが閉じられた回数に基づいて、該回数が、“５０”、“１００”及び“１５０”以外の場合は定常の表示パターンＡを点灯等させるが、“５０”の場合に特殊の表示パターンＢ、“１００”の場合に特殊の表示パターンＣ、“１５０”の場合に特殊の表示パターンＤを点灯等させるので、点灯等に意外性を持たせることができる。これにより、着信ランプの点灯等の状態によって情報を報知することのみを目的とした従来技術と違い、ユーザに対するアピールが強く、嬉しさ、楽しさ、面白さなど娯楽性が得られる。また、携帯端末１の上部筐体１Ａを閉じたことを検出した場合に、点灯等するので、ユーザに見てもらえる可能性が高く、演出が無駄になることが少ない。
【００２８】
なお、上記実施の形態１では、開閉回数５０、１００、１５０で特殊の表示パターンＢ〜Ｄによる表示を行うようにしたが、開閉回数５０、１００、１５０は一例であり、所望の開閉回数にすることができる。また、特殊パターンをＢ〜Ｄの３種類としたが、この種類も任意である。
【００２９】
また、上記実施の形態１では、３色ＬＥＤ４、単色ＬＥＤ５及びサブディスプレイ３などの表示部は、開閉検知部６が上部筐体１Ａを閉じたことを検出した場合に、上部筐体１Ａを閉じたことを検出した回数に基づいて３色ＬＥＤ４、単色ＬＥＤ５又はサブディスプレイ３を点灯させ、発光させ、又は表示させる表示を行うこととしたが、このサブディスプレイ３の表示は、静止画の表示でもよいし、動画の表示でもよい。例えば、３色ＬＥＤ４又は単色ＬＥＤ５の点灯又は発光と連動させて、サブディスプレイ３に流れ星の動画を表示することなども考えられる。
【００３０】
また、定常の表示パターンの場合には、３色ＬＥＤ４又は単色ＬＥＤ５の点灯又は発光のみでサブディスプレイ３の表示は行なわず、特殊の表示パターンの場合にのみサブディスプレイ３の表示を行なうようにしてもよい。このようにすれば、ユーザに対するアピール、嬉しさ、楽しさ、面白さなど娯楽性がさらにアップする。このサブディスプレイ３の表示は、静止画の表示でもよいし、動画の表示でもよい。
【００３１】
また、上記実施の形態１では、３色ＬＥＤ４、単色ＬＥＤ５及びサブディスプレイ３などの表示部は、開閉検知部６が上部筐体１Ａを閉じたことを検出した場合に、上部筐体１Ａを閉じたことを検出した回数に基づいて表示を行うこととしたが、これに加えて、通信部９により着信を検出した場合にも３色ＬＥＤ４、単色ＬＥＤ５又はサブディスプレイ３を点灯させ、発光させ、又は表示させるようにしてもよい。
【００３２】
また、上記実施の形態１では、本発明を折り畳み式の携帯端末に適用した場合について説明したが、本発明は２つの筐体のうちの一方を他方に対してスライドさせるスライド式の携帯端末にも勿論適用することができる。スライド式の携帯端末の場合には、上記実施の形態１のサブディスプレイ３に代えて、メインディスプレイを用いることもできる。
【００３３】
（実施の形態２）
図９は、本発明の実施の形態２に係る携帯端末の点灯等の処理を示すフローチャートである。なお、本実施の形態の携帯端末は、上述した実施の形態１の携帯端末と同一の構成を有するので、説明上必要ある場合は図１又は図２を援用する。また、本実施の形態の携帯端末には符号２０を付ける。なお、本実施の形態２において、特に言及がない部分は、実施の形態１と同様である。
【００３４】
図９において、上部筐体１Ａの開閉検知を行い（ステップＳ２０）、開閉検知できた場合、開閉回数ｎをカウントする（ｎ＝ｎ＋１、ステップＳ２１）。そして、開閉回数ｎが５０回に達したかどうか判定し（ステップＳ２２）、５０回に達していなければ定常の表示パターンＡで３色ＬＥＤ４、単色ＬＥＤ５及びサブディスプレイ３を点灯等させる（ステップＳ２３）。この処理後再びステップＳ２０に戻り、開閉検知を行う。
【００３５】
ステップＳ２２の判定で開閉回数ｎが５０回であれば、ランダムで特殊の表示パターンを決定する（ステップＳ２４）。即ち、例えば特殊の表示パターンＢ〜Ｄのうち１つをランダムに選択する。この場合、ランダムに選択するための情報として、例えば“ランダム関数”、“日時の情報”、“曜日の情報”が望ましい。そして、決定された特殊の表示パターンで３色ＬＥＤ４、単色ＬＥＤ５及びサブディスプレイ３を点灯等させる（ステップＳ２５）。決定された特殊の表示パターンで点灯等を行った後、開閉回数ｎをクリアし（ステップＳ２６）、ステップＳ２０に戻る。
【００３６】
以上のように本実施の形態の携帯端末２０によれば、開閉検知部６が上部筐体１Ａの下部筐体に対する開閉を検知し、処理部８は、上部筐体１Ａが閉じられた回数に基づいて、該回数が、５０回以外の場合には定常の表示パターンＡを点灯等させるが、５０回の場合に例えば特殊の表示パターンＢ〜Ｄのうち１つをランダムに選択して点灯等させるので、点灯等に意外性を持たせることができる。これにより、着信ランプの点灯等の状態によって情報を報知することのみを目的とした従来技術と違い、ユーザに対するアピールが強く、嬉しさ、楽しさ、面白さなど娯楽性が得られる。また、ランダムに決定した特殊の表示パターンによる点灯、発光又は表示を行うので、意外性のある面白さも得られる。
【００３７】
なお、上記実施の形態２では、開閉回数５０のときにランダムで特殊の表示パターンＢ〜Ｄのうち１つを選択するようにしたが、開閉回数５０は一例であり、所望の開閉回数にすることができる。また、上記実施の形態１と同様に、特殊パターンをＢ〜Ｄの３種類としたが、この種類は任意である。
【００３８】
（実施の形態３）
図１０は、本発明の実施の形態３に係る携帯端末の点灯等の処理を示すフローチャートである。なお、本実施の形態の携帯端末は、上述した実施の形態１の携帯端末と同一の構成を有するので、説明上必要ある場合は図１又は図２を援用する。また、本実施の形態の携帯端末には符号３０を付ける。なお、本実施の形態３において、特に言及がない部分は、実施の形態１又は２と同様である。
【００３９】
図１０において、まずランダムでカウント数Ｎを決定する（ステップＳ３０）。この場合、ランダムに決定するための情報として、例えば“ランダム関数”、“日時の情報”、“曜日の情報”が望ましい。ランダムでカウント数Ｎを決定した後、上部筐体１Ａの開閉検知を行い（ステップＳ３１）、開閉検知できた場合、開閉回数ｎをカウントする（ｎ＝ｎ＋１、ステップＳ３２）。そして、開閉回数ｎがカウント数Ｎに達したかどうか判定し（ステップＳ３３）、カウント数Ｎに達していなければ定常の表示パターンＡで３色ＬＥＤ４、単色ＬＥＤ５及びサブディスプレイ３を点灯等させる（ステップＳ３４）。この処理後、ステップＳ３１に戻り、開閉検知を行う。
【００４０】
ステップＳ３３の判定で開閉回数ｎがカウント数Ｎであれば、ランダムで特殊の表示パターンを決定する（ステップＳ３５）。即ち、例えば特殊の表示パターンＢ〜Ｄのうち１つをランダムに選択する。ランダムに選択するための情報として、例えば“ランダム関数”、“日時の情報”、“曜日の情報”が望ましい。そして、決定された特殊の表示パターンで３色ＬＥＤ４、単色ＬＥＤ５及びサブディスプレイ３を点灯等させる（ステップＳ３６）。決定された特殊の表示パターンで点灯等させた後、開閉回数ｎをクリアし（ステップＳ３７）、ステップＳ３０に戻る。
【００４１】
以上のように本実施の形態の携帯端末３０によれば、開閉検知部６が上部筐体１Ａの下部筐体に対する開閉を検知し、処理部８は、上部筐体１Ａが閉じられた回数ｎに基づいて、該回数ｎが、ランダムで決定したカウント数Ｎの場合に例えば特殊の表示パターンＢ〜Ｄのうち１つをランダムに選択して点灯させ、カウント数Ｎ以外の場合には定常の表示パターンＡで表示させるが、カウント数Ｎの場合に例えば特殊の表示パターンＢ〜Ｄのうち１つをランダムに選択して点灯等させるので、点灯等に意外性を持たせることができる。これにより、着信ランプの点灯等の状態によって情報を報知するのみを目的とした従来技術と違い、ユーザに対するアピールが強く、嬉しさ、楽しさ、面白さなど娯楽性が得られる。また、ランダムに決定した特殊の表示パターンによる点灯、発光又は表示を行うことに加えて、特殊の表示パターンによる点灯、発光又は表示を行う回数もランダムに決定するので、意外性のある面白さも得られる。
【００４２】
なお、上記実施の形態３では、上記実施の形態１、２と同様に、特殊パターンをＢ〜Ｄの３種類としたが、この種類は任意である。
【００４３】
また、上記実施の形態３では、ランダムに決定した特殊の表示パターンによる点灯、発光又は表示を行うことに加えて、特殊の表示パターンによる点灯、発光又は表示を行う回数もランダムに決定することとしたが、これに代えて、特殊の表示パターンによる点灯、発光又は表示を行う回数をランダムに決定し、点灯、発光又は表示を行う特殊の表示パターンは、Ｂ、Ｃ、Ｄ、Ｂ、Ｃ、Ｄ、・・・のように固定の順番にしてもよい。この場合でも、特殊の表示パターンによる点灯、発光又は表示を行う回数をランダムに決定するので、意外性のある面白さも得られる。
【産業上の利用可能性】
【００４４】
本発明は、ユーザに対してアピールが強く、嬉しさ、楽しさ、面白さなど娯楽性が得られるといった効果を有し、折り畳み式やスライド式の携帯端末への適用が可能である。
【図面の簡単な説明】
【００４５】
【図１】本発明の実施の形態１に係る携帯端末の上部筐体の外側部分を示す平面図
【図２】図１の携帯端末の概略構成を示すブロック図
【図３】図１の携帯端末で用いられる表示パターンの一例を示す図
【図４】図１の携帯端末で用いられる表示パターンの一例を示す図
【図５】図１の携帯端末で用いられる表示パターンの一例を示す図
【図６】図１の携帯端末で用いられる表示パターンの一例を示す図
【図７】図３〜図６の各表示パターンの使用例を示す図
【図８】図１の携帯端末の点灯処理を説明するためのフローチャート
【図９】本発明の実施の形態２に係る携帯端末の点灯等の処理を説明するためのフローチャート
【図１０】本発明の実施の形態３に係る携帯端末の点灯等の処理を説明するためのフローチャート
【符号の説明】
【００４６】
１、２０、３０  携帯端末
１Ａ  上部筐体
２  ヒンジ部
３  サブディスプレイ
４  ３色ＬＥＤ
５  単色ＬＥＤ
６  開閉検知部
７  メモリ
８  処理部
９  通信部
１０  アンテナ
【図１】
2010109423.tif 000003
【図２】
2010109423.tif 000004
【図３】
2010109423.tif 000005
【図４】
2010109423.tif 000006
【図５】
2010109423.tif 000007
【図６】
2010109423.tif 000008
【図７】
2010109423.tif 000009
【図８】
2010109423.tif 000010
【図９】
2010109423.tif 000011
【図１０】
2010109423.tif 000012